(57)【要約】【課題】コネクタ構造体において、熱によって誘電体に不具合が生じることを抑制する。【解決手段】雌コネクタ構造体１０は、芯線１６の外周を絶縁被覆１７で包囲してなる被覆電線１３の外周が編組線１４で包囲されたシールド電線１１と、芯線１６に接続されるワイヤーバレル２２を有すると共にワイヤーバレル２２に連なって相手側端子と接続する接続筒部２３を有する雌端子１８と、少なくとも、雌端子１８のうち接続筒部２３の外周を包囲する絶縁性の誘電体１９と、編組線１４に電気的に接続されるシールド接続部３５を有すると共に、少なくとも誘電体１９の一部に外方から圧着する誘電体圧着部３７を有する後外導体３３と、誘電体１９の外周を包囲する前筒部３８を有すると共に、少なくとも誘電体圧着部３７の一部に外方から係止する後外導体係止部３９を有する前外導体３４と、を備える。【選択図】図２
2020102365.tif 000002
【特許請求の範囲】
【請求項１】
前後方向に延びる芯線の外周を絶縁被覆で包囲してなる被覆電線の外周がシールド部で包囲されたシールド電線と、
前記芯線に接続される芯線接続部を有すると共に前記芯線接続部に連なって相手側端子と接続する接続部を有する内導体と、
少なくとも、前記内導体のうち前記接続部の外周を包囲する絶縁性の誘電体と、
前記シールド部に電気的に接続されるシールド接続部を有すると共に、少なくとも前記誘電体の一部に外方から圧着する誘電体圧着部を有する後外導体と、
前記誘電体の外周を包囲する筒部を有すると共に、少なくとも前記誘電体圧着部の一部に外方から係止する後外導体係止部を有する前外導体と、
を備えたコネクタ構造体。
【請求項２】
前記後外導体係止部は、前記誘電体圧着部の外周に巻き付くように圧着する後外導体圧着片を有する、請求項１に記載のコネクタ構造体。
【請求項３】
前記後外導体係止部には、前記後外導体係止部が前記誘電体圧着部の外周に圧着した状態で、前記誘電体圧着部に向かって突出する拡開抑制部が設けられており、
前記拡開抑制部は、前記誘電体圧着部に設けられた凹部内に嵌入して、前記誘電体の周方向について前記凹部の内壁に係止している、請求項２に記載のコネクタ構造体。
【請求項４】
前記後外導体係止部、及び前記誘電体圧着部の一方には、他方に向かって突出する接続突部が設けられている、請求項１から請求項３のいずれか一項に記載のコネクタ構造体。
【請求項５】
前記誘電体に前記誘電体圧着部が圧着した状態で、前記誘電体及び前記誘電体圧着部の一方に設けられた係止凸部と、他方に設けられた係止凹部とが、凹凸嵌合している、請求項１から請求項４のいずれか一項に記載のコネクタ構造体。
【請求項６】
コネクタ構造体の製造方法であって、
前後方向に延びる芯線の外周を絶縁被覆で包囲してなる被覆電線の外周がシールド部で包囲されたシールド電線の前記絶縁被覆の前端部を皮剥ぎして前記芯線を露出させる工程と、
絶縁性の誘電体に、芯線接続部を露出させた状態で内導体を配設する工程と、
前記絶縁被覆から露出した前記芯線に、前記内導体の芯線接続部を接続する工程と、
前記シールド部に後外導体を接続する工程と、
前記後外導体の誘電体圧着部を、少なくとも前記誘電体の一部に外方から圧着する工程と、
前記誘電体を前外導体の内部に収容する工程と、
前記前外導体に設けられた後外導体係止部を、少なくとも前記誘電体圧着部の一部に係止する工程と、を備えたコネクタ構造体の製造方法。
【発明の詳細な説明】
【技術分野】
【０００１】
本明細書に開示された技術は、シールド電線にコネクタが接続されてなるコネクタ構造体、及びコネクタ構造体の製造方法に関する。
【背景技術】
【０００２】
同軸ケーブルの端末にコネクタが接続されてなるコネクタ構造体として、国際公開第２０１７／１４４０７０号に記載のものが知られている。このコネクタ構造体は、内導体と、内導体を包囲する誘電体と、誘電体の外周を覆う接触部材と、同軸ケーブルのシールド部に接続される接続部材と、を備える。接触部材の後端部には接続部材の前端部が外嵌された状態で、溶接されるようになっている。これにより、接触部材と接続部材とが電気的に接続される。
【先行技術文献】
【特許文献】
【０００３】
【特許文献１】国際公開第２０１７／１４４０７０号
【発明の概要】
【発明が解決しようとする課題】
【０００４】
しかしながら、上記の構成によれば、誘電体が接触部材の内部に収容された状態で、接触部材と接続部材とが溶接されるようになっている。このため、接触部材と接続部材との溶接時の熱によって、誘電体が変形する等の不具合が生じる虞がある。
【０００５】
本明細書に開示された技術は上記のような事情に基づいて完成されたものであって、熱によって誘電体に不具合が生じることが抑制されたコネクタ構造体を提供することを目的とする。
【課題を解決するための手段】
【０００６】
本明細書に開示された技術は、コネクタ構造体であって、前後方向に延びる芯線の外周を絶縁被覆で包囲してなる被覆電線の外周がシールド部で包囲されたシールド電線と、前記芯線に接続される芯線接続部を有すると共に前記芯線接続部に連なって相手側端子と接続する接続部を有する内導体と、少なくとも、前記内導体のうち前記接続部の外周を包囲する絶縁性の誘電体と、前記シールド部に電気的に接続されるシールド接続部を有すると共に、少なくとも前記誘電体の一部に外方から圧着する誘電体圧着部を有する後外導体と、前記誘電体の外周を包囲する筒部を有すると共に、少なくとも前記誘電体圧着部の一部に外方から係止する後外導体係止部を有する前外導体と、を備える。
【０００７】
また、本明細書に開示された技術は、コネクタ構造体の製造方法であって、前後方向に延びる芯線の外周を絶縁被覆で包囲してなる被覆電線の外周がシールド部で包囲されたシールド電線の前記絶縁被覆の前端部を皮剥ぎして前記芯線を露出させる工程と、絶縁性の誘電体に、芯線接続部を露出させた状態で内導体を配設する工程と、前記絶縁被覆から露出した前記芯線に、前記内導体の芯線接続部を接続する工程と、前記シールド部に後外導体を接続する工程と、前記後外導体の誘電体圧着部を、少なくとも前記誘電体の一部に外方から圧着する工程と、前記誘電体を前外導体の内部に収容する工程と、前記前外導体に設けられた後外導体係止部を、少なくとも前記誘電体圧着部の一部に係止する工程と、を備える。
【０００８】
上記の技術によれば、後外導体と、前外導体とは、少なくとも誘電体の一部に、後導体の誘電体圧着部が圧着すると共に、少なくとも誘電体圧着部の一部に後外導体圧着部が係止することにより、接続されている。これにより、加熱することなく、後外導体と前外導体とを接続することができるので、熱によって誘電体に不具合が生じることを抑制することができる。
【０００９】
本明細書に開示された技術の実施態様としては以下の態様が好ましい。
【００１０】
前記後外導体係止部は、前記誘電体圧着部の外周に巻き付くように圧着する後外導体圧着片を有する。
【００１１】
上記の構成によれば、後外導体と前外導体とを確実に接続することができる。
【００１２】
前記後外導体係止部には、前記後外導体係止部が前記誘電体圧着部の外周に圧着した状態で、前記誘電体圧着部に向かって突出する拡開抑制部が設けられており、前記拡開抑制部は、前記誘電体圧着部に設けられた凹部内に嵌入して、前記誘電体の周方向について前記凹部の内壁に係止している。
【００１３】
上記の構成によれば、誘電体の周方向について、拡開抑制部が凹部の内壁と係止しているので、後外導体係止部が拡開変形することを抑制することができる。
【００１４】
前記後外導体係止部、及び前記誘電体圧着部の一方には、他方に向かって突出する接続突部が設けられている。
【００１５】
上記の構成によれば、後外導体係止部、及び誘電体圧着部の一方に設けられた接続突部が、他方に当接することにより、後外導体と、前外導体とを確実に電気的に接続することができる。これにより、後外導体と前外導体との電気的な接続信頼性を向上させることができる。
【００１６】
前記誘電体に前記誘電体圧着部が圧着した状態で、前記誘電体及び前記誘電体圧着部の一方に設けられた係止凸部と、他方に設けられた係止凹部とが、凹凸嵌合している。
【００１７】
上記の構成によれば、後外導体と、誘電体とを、前後方向について位置決めすることができる。これにより、コネクタ構造体を構成する部品の位置精度を向上させることができる。
【発明の効果】
【００１８】
本明細書に開示された技術によれば、熱によって誘電体に不具合が生じることを抑制することができる。
【図面の簡単な説明】
【００１９】
【図１】実施形態１に係る雌コネクタ構造体を示す斜視図
【図２】雌コネクタ構造体を示す断面図
【図３】雌コネクタ構造体の製造工程において、シールド電線にスリーブを外嵌させた状態を示す断面図
【図４】シールド電線のシースを皮剥ぎした状態を示す断面図
【図５】編組線をスリーブの上に折り返した状態を示す断面図
【図６】誘電体に雌端子を挿入する工程を示す斜視図
【図７】誘電体に雌端子が挿入された状態を示す斜視図
【図８】芯線にワイヤーバレルを圧着する工程を示す断面図
【図９】後外導体を編組線及び誘電体に圧着する工程を示す断面図
【図１０】前外導体を後外導体に圧着する工程を示す断面図
【図１１】実施形態２に係る雌コネクタ構造体において、誘電体に雌端子を挿入する工程を示す斜視図
【図１２】誘電体に雌端子が挿入された状態を示す斜視図
【図１３】実施形態２に係る雌コネクタ構造体を示す斜視図
【図１４】実施形態３に係る雌コネクタ構造体を示す斜視図
【図１５】前外導体の後外導体圧着片を後外導体に圧着する工程を示す斜視図
【図１６】実施形態４に係る雌コネクタ構造体において、前外導体の後外導体圧着片を後外導体に圧着する工程を示す斜視図
【図１７】前外導体の後外導体圧着片が後外導体に圧着された状態を示す断面図
【図１８】実施形態５に係る雌コネクタ構造体において、後外導体を編組線及び誘電体に圧着する工程を示す斜視図
【図１９】後外導体が編組線及び誘電体に圧着した状態を示す斜視図
【発明を実施するための形態】
【００２０】
＜実施形態１＞
本明細書に開示された技術の実施形態１を図１から図１０を参照しつつ説明する。本実施形態に係る雌コネクタ構造体１０は、シールド電線１１の端末に雌コネクタ１２が接続されてなる。雌コネクタ１２は、雌端子１８（内導体の一例）と、誘電体１９と、後外導体３３と、前外導体３４と、を備える。以下の説明では、シールド電線１１の延びる方向（矢線Ａで示す方向）を前方とする。また、複数の同一部材については、一部の部材にのみ符号を付し、他の部材については符号を省略する場合がある。
【００２１】
シールド電線１１
図２に示すように、シールド電線１１は、複数（本実施形態では２本）の被覆電線１３の外周を、金属細線からなる編組線１４（シールド部の一例）で包囲すると共に、編組線１４の外周を絶縁材料からなるシース１５で包囲してなる。各被覆電線１３は、芯線１６と、芯線１６の外周を包囲する絶縁被覆１７と、を備える。芯線１６を構成する金属は、銅、銅合金、アルミニウム、アルミニウム合金等、必要に応じて任意の金属を選択することができる。芯線１６は、１本の金属素線からなるものであってもよく、また、複数本の金属素線が撚り合わされた撚り線からなるものであってもよい。絶縁被覆１７、及びシース１５は、絶縁性の合成樹脂からなる。
【００２２】
シールド電線１１の端末においては、皮剥ぎ等の端末処理が施され、芯線１６、絶縁被覆１７、及び編組線１４のそれぞれの端末が露出している。
【００２３】
雌コネクタ１２
雌コネクタ１２は、雌端子１８（内導体の一例）と、雌端子１８の外周を包囲する絶縁性の誘電体１９と、誘電体１９の外周を包囲する外導体２０と、を備える。外導体２０は、後外導体３３と、後外導体３３の前端部に電気的に接続された前外導体３４とを、有する。
【００２４】
雌端子１８
図６に示すように、雌端子１８は、金属板材を所定の形状にプレス加工してなる。雌端子１８を構成する金属としては、銅、銅合金、アルミニウム、アルミニウム合金等、必要に応じて任意の金属を選択することができる。雌端子１８は、各被覆電線１３の端末に接続されている。雌端子１８は、芯線１６の外周に巻き付くように圧着するワイヤーバレル２２（芯線接続部の一例）と、ワイヤーバレル２２の前方に連なって、図示しない相手側端子が挿入される接続筒部２３（接続部の一例）と、を有する。
【００２５】
接続筒部２３には、接続筒部２３の前端部から後方に向かって延びる複数のスリットが形成されることにより、前後方向に延びる複数の弾性接触片２４が設けられている。複数の弾性接触片２４は、前方に向かうに従って縮径しており、接続筒部２３の径方向について弾性変形可能に形成されている。相手側端子が接続筒部２３内に挿入されることにより、相手側端子と弾性接触片２４とが弾性的に接触し、これにより、相手側端子と雌端子１８とが電気的に接続されるようになっている。
【００２６】
編組線１４
編組線１４は、複数の金属細線を筒状に編んでなる。編組線１４のうちシース１５の端末から露出した部分は、シース１５の端末側に折り返されて、後述するスリーブ２７の外側に重ねられている。
【００２７】
スリーブ２７
シース１５の端末の外側には、環状をなすスリーブ２７が外嵌されている、スリーブ２７の外側には、上記したように編組線１４が重ねられている。本実施形態に係るスリーブ２７は、細長く延びた金属板材を、シース１５の外周に巻き付くように圧着させることにより、略環状に形成してなる。
【００２８】
誘電体１９
図２に示すように、雌端子１８のうち接続筒部２３の周囲は、誘電体１９によって包囲されるようになっている。誘電体１９は絶縁性の合成樹脂を射出成型してなる。誘電体１９の後端部からは、ワイヤーバレル２２が後方に突出している。図６及び図７に示すように、誘電体１９は、全体として前後方向に延びると共に、断面形状が、左右方向に細長い長円形状をなしている。
【００２９】
誘電体１９は、前後方向に開口すると共に、内部に雌端子１８の接続筒部２３がそれぞれ収容される複数（本実施形態では２つ）のキャビティ３２が、左右方向に並んで形成されている。キャビティ３２の前側の開口からは、相手側端子が挿入されるようになっている。キャビティ３２の後側の開口からは、上記したように、ワイヤーバレル２２が後方に導出されている。
【００３０】
誘電体１９のうち、前後方向について後端部から略三分の一の部分には、誘電体１９の径方向について外方に突出したフランジ２８が形成されている。
【００３１】
後外導体３３
図２及び図９に示すように、後外導体３３は、金属板材を所定の形状にプレス加工してなる。後外導体３３を構成する金属は銅、銅合金、アルミニウム、アルミニウム合金等、任意の金属を必要に応じて選択できる。後外導体３３は、スリーブ２７の上に折り返された編組線１４に外方から圧着するシールド接続部３５と、シールド接続部３５の前方に連なって、編組線１４から露出した被覆電線１３の外周を包囲する後筒部３６と、後筒部３６の前方に連なって、誘電体１９の後端部寄りの位置に外方から圧着する誘電体圧着部３７と、を有する。
【００３２】
後外導体３３は、左右の両側縁が付き合わされた形態で、編組線１４の外周に圧着すると共に、誘電体１９の後端部寄りの位置に外方から圧着している。誘電体圧着部３７は、誘電体１９のうちフランジ２８よりも後方の部分に圧着している。誘電体圧着部３７の前端部が、フランジ２８に後方から当接することにより、後外導体３３と、誘電体１９との、前後方向の位置決めを行うことができる。
【００３３】
後外導体３３が編組線１４の外周に圧着すると共に誘電体１９の後端部寄りの位置に圧着した状態で、シールド接続部３５の外径寸法は、誘電体圧着部３７の外径寸法よりも大きく設定されている。シールド接続部３５と誘電体圧着部３７との間に位置する後筒部３６は、前方に向かうに従って縮径した形状に形成されている。
【００３４】
前外導体３４
図２に示すように、前外導体３４は、金属板材を所定の形状にプレス加工してなる。前外導体３４を構成する金属は銅、銅合金、アルミニウム、アルミニウム合金等、任意の金属を必要に応じて選択できる。前外導体３４は、誘電体１９の外周を包囲する前筒部３８（筒部の一例）と、前筒部３８の後方に連なって、誘電体１９の後端部寄りの部分に圧着した誘電体圧着部３７の上に圧着する後外導体係止部３９を有する。前筒部３８の前端部は、誘電体１９の前端部よりも前方に延びて形成されている。後外導体係止部３９は、誘電体１９のフランジ２８よりも後方において、後外導体３３の誘電体圧着部３７の上に圧着している。後外導体係止部３９は、前筒部３８よりも縮径されている。
【００３５】
雌コネクタ構造体１０の製造工程
続いて、本実施形態に係る雌コネクタ構造体１０の製造工程の一例について説明する。なお、雌コネクタ構造体１０の製造工程は以下の記載に限定されない。
【００３６】
図３に示すように、シールド電線１１の端末部分から所定の長さ寸法だけ後退した位置に、シース１５の外周にスリーブ２７を外嵌させる。図４に示すように、シース１５のうち、スリーブ２７の前端部よりも前方の部分を皮剥ぎすることにより、編組線１４をシース１５から露出させる。編組線１４を所定の長さに切断し、編組線１４から被覆電線１３を露出させる。スリーブ２７は、シース１５を皮剥ぎする位置の目印となっている。図５に示すように、編組線１４を後方に折り返して、スリーブ２７の上に重ねる。被覆電線１３の端末において、所定の長さで絶縁被覆１７を皮剥ぎすることにより、芯線１６を絶縁被覆１７から露出させる。
【００３７】
図６に示すように、誘電体１９のキャビティ３２内に、雌端子１８を後方から挿入する。図８に示すように、誘電体１９の後端部からは、雌端子１８のワイヤーバレル２２が後方に突出している。絶縁被覆１７の前端部から露出した芯線１６の外周にワイヤーバレル２２を圧着させることにより、被覆電線１３の端末に雌端子１８を接続する（図９参照）。
【００３８】
図９に示すように、後外導体３３のシールド接続部３５を、スリーブ２７の上に折り返された編組線１４に、外方から圧着する。また、後外導体３３の誘電体圧着部３７を誘電体１９のうちフランジ２８よりも後方の部分に、外方から圧着する。
【００３９】
シールド接続部３５を編組線１４に圧着する工程と、誘電体圧着部３７を誘電体１９に圧着する工程は、同一の工程内で実行してもよい。また、シールド接続部３５を編組線１４に圧着する工程と、誘電体圧着部３７を誘電体１９に圧着する工程は、別々に実行してもよい。例えば、先にシールド接続部３５を編組線１４に圧着した後に誘電体圧着部３７を誘電体１９に圧着してもよいし、先に誘電体圧着部３７を誘電体１９に圧着した後にシールド接続部３５を編組線１４に圧着してもよい。
【００４０】
前外導体３４を筒状に形成する。図１０に示すように、筒状に形成された前外導体３４を、誘電体１９の前方から、誘電体１９に組み付ける。前外導体３４の後外導体係止部３９を、誘電体１９に圧着した後外導体３３の誘電体圧着部３７に、外方から圧着させる。以上により、雌コネクタ構造体１０が完成する（図１及び図２参照）。
【００４１】
本実施形態の作用効果
続いて、本実施形態の作用効果について説明する。本実施形態によれば、雌コネクタ構造体１０は、前後方向に延びる芯線１６の外周を絶縁被覆１７で包囲してなる被覆電線１３の外周が編組線１４で包囲されたシールド電線１１と、芯線１６に接続されるワイヤーバレル２２を有すると共にワイヤーバレル２２に連なって相手側端子と接続する接続筒部２３を有する雌端子１８と、少なくとも、雌端子１８のうち接続筒部２３の外周を包囲する絶縁性の誘電体１９と、編組線１４に電気的に接続されるシールド接続部３５を有すると共に、少なくとも誘電体１９の一部に外方から圧着する誘電体圧着部３７を有する後外導体３３と、誘電体１９の外周を包囲する前筒部３８を有すると共に、少なくとも誘電体圧着部３７の一部に外方から係止する後外導体係止部３９を有する前外導体３４と、を備える。
【００４２】
また、本明細書に開示された、雌コネクタ構造体１０の製造方法は、前後方向に延びる芯線１６の外周を絶縁被覆１７で包囲してなる被覆電線１３の外周が編組線１４で包囲されたシールド電線１１の、絶縁被覆１７を皮剥ぎして芯線１６を露出させる工程と、絶縁性の誘電体１９に、ワイヤーバレル２２を露出させた状態で雌端子１８を配設する工程と、絶縁被覆１７から露出した芯線１６に、雌端子１８のワイヤーバレル２２を接続する工程と、編組線１４に後外導体３３を接続する工程と、後外導体３３の誘電体圧着部３７を、少なくとも誘電体１９の一部に外方から圧着する工程と、誘電体１９を前外導体３４の内部に収容する工程と、前外導体３４に設けられた後外導体係止部３９を、少なくとも誘電体圧着部３７の一部に係止する工程と、を備える。
【００４３】
上記の構成によれば、後外導体３３と、前外導体３４とは、少なくとも誘電体１９の一部に、後外導体３３の誘電体圧着部３７が圧着すると共に、少なくとも誘電体圧着部３７の一部に後外導体係止部３９が係止することにより、接続されている。これにより、後外導体３３と前外導体３４とを、溶接によらずに、接続することができる。この結果、後外導体３３と前外導体３４とを、加熱することなく、接続することができるので、熱によって誘電体１９に不具合が生じることを抑制することができる。
【００４４】
＜実施形態２＞
次に、本明細書に開示された技術の実施形態２を図１１から図１３を参照しつつ説明する。本実施形態に係る雌コネクタ構造体５０においては、誘電体５１は、前後方向に延びる、略円筒形状をなしている。誘電体５１には、前後に開口する、１つのキャビティ３２が形成されている。キャビティ３２内には、１つの雌端子１８が収容されている。
【００４５】
後外導体５２は、略円筒形状をなすシールド接続部５３と、このシールド接続部５３と同軸上に形成されると共に略円筒形状をなす誘電体圧着部（図示せず）と、を備える。
【００４６】
前外導体５５は、略円筒形状をなす前筒部５６と、この前筒部５６と同軸状に形成されると共に略円筒形状をなす後外導体係止部５７と、を有する。
【００４７】
本実施形態に係る誘電体５１は、シース１５内に１つの被覆電線１３が配されたシールド電線１１を備えた雌コネクタ構造体５０に対して、有効に適用することができる。
【００４８】
上記以外の構成については、実施形態１と略同様なので、同一部材については同一符号を付し、重複する説明を省略する。
【００４９】
＜実施形態３＞
次に、本明細書に開示された技術の実施形態３に係る雌コネクタ構造体６３について図１４から図１５を参照しつつ説明する。本実施形態に係る前外導体６２おいては、後外導体係止部６０の後端部には、誘電体圧着部３７の外周に左方及び右方からそれぞれ巻き付くように圧着する一対の後外導体圧着片６１が設けられている。一対の後外導体圧着片６１の端縁同士は互いに突き合わされた状態になっている。
【００５０】
上記の構成によれば、後外導体３３と前外導体６２とを確実に接続することができる。
【００５１】
上記以外の構成については、実施形態１と略同様なので、同一部材については同一符号を付し、重複する説明を省略する。
【００５２】
＜実施形態４＞
次に、本明細書に開示された技術の実施形態４について図１６から図１７を参照しつつ説明する。本実施形態に係る前外導体７０の後外導体係止部７１後端部には、一対の後外導体圧着片７２が設けられている。一対の後外導体圧着片７２の各端部には、前筒部７３の径方向の内側に折り返された拡開抑制部７４が設けられている。後外導体圧着片７２が後外導体７５の誘電体圧着部７６の外周に巻き付くように圧着した状態で、拡開抑制部７４は、誘電体圧着部７６に向かって突出するように形成されている。
【００５３】
後外導体７５の誘電体圧着部７６には、拡開抑制部７４に対応する位置に、凹部７７が形成されている。凹部７７は、上方から見て四角形状をなしている。後外導体圧着片７２が誘電体圧着部７６の外周に圧着した状態で、拡開抑制部７４は、凹部７７内に上方から嵌入するようになっている。これにより、誘電体１９の周方向について、拡開抑制部７４が凹部７７の内壁に係止するようになっている。これにより、後外導体圧着片７２（後外導体係止部７１）が拡開変形することが抑制されるようになっている。
【００５４】
また、誘電体圧着部７６の外面には、外方に突出する複数（本実施形態では４つ）の接続突部７８が、誘電体圧着部７６の周方向に間隔を空けて並んで形成されている。後外導体圧着片７２が誘電体圧着部７６の外周に圧着した状態で、接続突部７８は、後外導体圧着片７２の内面に当接するようになっている。これにより、後外導体７５と、前外導体７０とを電気的に接続することができる。この結果、後外導体７５と前外導体７０との電気的な接続信頼性を向上させることができる。
【００５５】
上記以外の構成については、実施形態３と略同様なので、同一部材については同一符号を付し、重複する説明を省略する。
【００５６】
＜実施形態５＞
次に、本明細書に開示された技術の実施形態５について図１８から図１９を参照しつつ説明する。本実施形態に係る誘電体８０の上面には、フランジ２８の後方の位置に、上方に突出する係止凸部８１が設けられている。また、誘電体８０の下面には、フランジ２８の後方の位置に、下方に突出する係止凸部（図示せず）が設けられている。誘電体８０の上側に設けられた係止凸部８１と、下側に設けられた係止凸部とは、上下方向について対称な位置に形成されている。上側の係止凸部８１及び下側の係止凸部は、上下方向から見て長方形状をなしている。
【００５７】
後外導体８２の誘電体圧着部８４には、誘電体圧着部８３が誘電体８０に圧着した状態で、係止凸部８１に対応する位置に、係止凹部８４Ａが形成されている。後外導体８２の左右両側縁が突き合わされた状態で、誘電体圧着部８３の上部に、係止凹部８４Ａが形成されるようになっている。係止凹部８４Ａは、上方から見て長方形状をなしている。係止凹部８４Ａの内形状は、係止凸部８１の外形状と同じか、やや大きく形成されている。誘電体圧着部８３が誘電体８０に圧着した状態で、係止凸部８１が係止凹部８４Ａ内に嵌入するようになっている。誘電体圧着部８３が誘電体８０に圧着した状態で、係止凸部８１の突出端面は、誘電体圧着部８３の外面と面一に形成されている。
【００５８】
後外導体８２の誘電体圧着部８４には、誘電体圧着部８４が誘電体８０に圧着した状態で、誘電体８０の下側に形成された係止凸部に対応する位置に、係止凹部８４Ｂが形成されている。係止凹部８４Ｂは、下方から見て長方形状をなしている。係止凹部８４Ｂの内形状は、誘電体８０の下側に形成された係止凸部の外形状と同じか、やや大きく形成されている。誘電体圧着部８３が誘電体８０に圧着した状態で、誘電体８０の下側に形成された係止凸部が係止凹部８４Ｂ内に嵌入するようになっている。誘電体圧着部８３が誘電体８０に圧着した状態で、誘電体８０の下側に形成された係止凸部の突出端面は、誘電体圧着部８３の外面と面一に形成されている。
【００５９】
上記以外の構成については、実施形態１と略同様なので、同一部材については同一符号を付し、重複する説明を省略する。
【００６０】
上記の構成によれば、誘電体８０の上側に形成された係止凸部８１と係止凹部８４Ａとが凹凸嵌合すると共に、誘電体８０の下側に形成された係止凸部と係止凹部８１Ｂとが凹凸嵌合することにより、後外導体８２と誘電体８０との相対的な位置精度を向上させることができる。
【００６１】
＜他の実施形態＞
本明細書に開示された技術は上記記述及び図面によって説明した実施形態に限定されるものではなく、例えば次のような実施形態も本明細書に開示された技術の技術的範囲に含まれる。
【００６２】
（１）シールド電線は、３本以上の被覆電線を有する構成としてもよい。
【００６３】
（２）シールド層は編組線１４に限られず、金属箔、又は、樹脂テープに金属箔が貼着されたもの等、任意の材料を適宜に選択することができる。
【００６４】
（３）シースは省略してもよい。
【００６５】
（４）シースを皮剥ぎして露出させた編組線１４は、シースの端末に折り返さない構成としてもよい。
【００６６】
（５）編組線１４の外周にシールド接続部３５が外嵌された状態で、後外導体３３と別体に形成された圧着部材が、シールド接続部の外方からシールド接続部に圧着することにより、編組線１４とシールド接続部３５とが電気的に接続される構成としてもよい。
【００６７】
（６）コネクタ構造体は、雄端子を備えた雄端子構造体としてもよい。
【００６８】
（７）実施形態４において、後外導体圧着片７２の内面に、誘電体圧着部７６に向かって突出する接続突部が設けられる構成としてもよい。
【００６９】
（８）実施形態５において、誘電体８０に係止凹部が設けられ、誘電体圧着部に係止凸部が設けられる構成としてもよい。また、係止凹部と係止凸部の個数は、それぞれ、１つでもよく、また、３つ以上でもよい。
【符号の説明】
【００７０】
１０，５０：雌コネクタ構造体（コネクタ構造体の一例）
１１：シールド電線
１３：被覆電線
１４：編組線（シールド部の一例）
１６：芯線
１７：絶縁被覆
１８：雌端子（内導体の一例）
１９，５１，８０：誘電体
２２：ワイヤーバレル（芯線接続部の一例）
２３：接続筒部（接続部の一例）
３３，５２，：後外導体
３４，５５，６２，７０：前外導体
３５，５３：シールド接続部
３７，５４，７６，８３：誘電体圧着部
３８：前筒部（筒部の一例）
３９，５７，７１：後外導体係止部
６１，７２：後外導体圧着片
７４：拡開抑制部
７７：凹部
７８：接続突部
８１：係止凸部
８４：係止凹部
【図１】
2020102365.tif 000003
【図２】
2020102365.tif 000004
【図３】
2020102365.tif 000005
【図４】
2020102365.tif 000006
【図５】
2020102365.tif 000007
【図６】
2020102365.tif 000008
【図７】
2020102365.tif 000009
【図８】
2020102365.tif 000010
【図９】
2020102365.tif 000011
【図１０】
2020102365.tif 000012
【図１１】
2020102365.tif 000013
【図１２】
2020102365.tif 000014
【図１３】
2020102365.tif 000015
【図１４】
2020102365.tif 000016
【図１５】
2020102365.tif 000017
【図１６】
2020102365.tif 000018
【図１７】
2020102365.tif 000019
【図１８】
2020102365.tif 000020
【図１９】
2020102365.tif 000021